(57)【特許請求の範囲】
【請求項１】
１つ以上の基地局及び１つ以上の移動局を含み、ユーザが選択的に受信するユーザ共通データを１つ以上の基地局から１つ以上の移動局へ伝送するパケット伝送システムであって、前記基地局は、
新規の又は更新されたユーザ共通データの有無を判断する判断部と、
移動局に信号を伝送する無線伝送部と
を有し、前記新規の又は更新されたユーザ共通データが存在していた場合、前記無線伝送部は、周期的なタイミングにおいて、前記ユーザ共通データの通知インジケータをグループ識別子とともに付随制御チャネルにより１つ以上の移動局に伝送し、
前記新規の又は更新されたユーザ共通データが存在していなかった場合、前記無線伝送部は、周期的なタイミングにおいて、特定の移動局宛のデータの復調に必要な制御信号を該特定の移動局の識別子とともに付随制御チャネルにより１つ以上の移動局に伝送する、パケット伝送システム。
【請求項２】
ユーザが選択的に受信するユーザ共通データを１つ以上の移動局へ伝送するパケット伝送システムにおける基地局であって、
新規の又は更新されたユーザ共通データの有無を判断する判断部と、
移動局に信号を伝送する無線伝送部と
を有し、前記新規の又は更新されたユーザ共通データが存在していた場合、前記無線伝送部は、周期的なタイミングにおいて、前記ユーザ共通データの通知インジケータをグループ識別子とともに付随制御チャネルにより１つ以上の移動局に伝送し、
前記新規の又は更新されたユーザ共通データが存在していなかった場合、前記無線伝送部は、周期的なタイミングにおいて、特定の移動局宛のデータの復調に必要な制御信号を該特定の移動局の識別子とともに付随制御チャネルにより１つ以上の移動局に伝送する、基地局。
【請求項３】
ユーザが選択的に受信するユーザ共通データを１つ以上の移動局へ伝送するパケット伝送システムの基地局における方法であって、
新規の又は更新されたユーザ共通データの有無を判断するステップと、
前記新規の又は更新されたユーザ共通データが存在していた場合、周期的なタイミングにおいて、前記ユーザ共通データの通知インジケータをグループ識別子とともに付随制御チャネルにより１つ以上の移動局に伝送し、
前記新規の又は更新されたユーザ共通データが存在していなかった場合、周期的なタイミングにおいて、特定の移動局宛のデータの復調に必要な制御信号を該特定の移動局の識別子とともに付随制御チャネルにより１つ以上の移動局に伝送するステップ
を有する方法。
【発明の詳細な説明】
【技術分野】
【０００１】
本発明は、マルチメディア・ブロードキャスト・マルチキャスト・サービス（ＭＢＭＳ：  Ｍｕｌｔｉｍｅｄｉａ  Ｂｒｏａｄｃａｓｔ／Ｍｕｌｔｉｃａｓｔ  Ｓｅｒｖｉｃｅ）を受けることが可能な移動局にＭＢＭＳを広告するデータ伝送システム、データ伝送方法及び基地局に関する。
【背景技術】
【０００２】
近年の移動通信システムでは、回線交換型の音声サービスだけでなく、パケット交換方式による大容量のマルチメディアサービスが行われつつある。第三世代標準化機構ではＭＢＭＳが想定され、それに関連するＵＴＲＡＮアーキテクチャや無線チャネルに関する構成が公表されている（非特許文献１参照。）。基地局はＭＢＭＳへの加入を促すＭＢＭＳ通知インディケータ（ＮＩ：Ｎｏｔｉｆｉｃａｔｉｏｎ  Ｉｎｄｉｃａｔｏｒ）を配下の移動局ＵＥへ告知する。移動局は受信したＮＩの中からサービス（例えば、ニュースの同報等）を選択し、基地局にその旨を連絡し、サービス加入手順が実行される。
【０００３】
この場合に、セルＤＣＨ状態以外の（個別チャネルが確立されていない）移動局に対しては、ＭＩＣＨ（ＭＢＭＳ  Ｉｎｄｉｃａｔｏｒ  Ｃｈａｎｎｅｌ）と呼ばれる物理チャネル上で通知インディケータＮＩが周期的に告知される。この周期はＭＣＣＨと呼ばれる論理チャネルで指定される。ＮＩを受信した移動局は、受信したＭＩＣＨに付随したＳＣＣＰＣＨと呼ばれる物理チャネルにマッピングされたＭＣＣＨ（論理チャネル）を受信する。周知のようにＭＢＭＳの内容はＭＣＣＨ，ＭＴＣＨ及びＭＳＣＨ等の論理チャネルにより規定される。
【０００４】
一方、セルＤＣＨ状態の（個別チャネルが確立されている）移動局に対しては、個別的な通知インディケータＮＩはＤＣＣＨと呼ばれる論理チャネルにより示され、ＤＣＣＨはＤＰＣＨと呼ばれる物理チャネルにマッピングされる。この物理チャネルで移動局は個別的な通知インディケータＮＩを受信し、ＭＣＣＨやＭＴＣＨ等を受信する。
【０００５】
このような手順に従って、ＭＢＭＳがサービス提供されている地域の中で、移動局は何れの状態でもＭＢＭＳの通知インディケータＮＩを適切に受けることができる。
【非特許文献１】３ＧＰＰインターフェース規格，３ＧＰＰ“ＴＳ２５．２１１”，“ＴＳ２５．３４６”，インターネット＜ＵＲＬ：ｈｔｔｐ：／／ｗｗｗ．３ｇｐｐ．ｏｒｇ＞
【発明の開示】
【発明が解決しようとする課題】
【０００６】
従来技術では、ＣＥＬＬ＿ＤＣＨ以外の各状態に応じてＵＥが最低限受信しなければならない無線チャネルが規定されている（“Ｍｉｎｉｍｕｍ  ＵＥ  Ｃａｐａｂｉｌｉｔｙ”と呼ばれる。）。具体的には、ＣＥＬＬ＿ＰＣＨ及びＵＲＡ＿ＰＣＨ状態のＵＥは、１つの  ＰＩＣＨ（物理チャネル）及び１つの  ＭＩＣＨ（物理チャネル）を受信することを要する。ＣＥＬＬ＿ＦＡＣＨ状態のＵＥは、１つのＭＩＣＨ（物理チャネル）及び１つのＳＣＣＰＣＨ（物理チャネル）を受信することを要する。また、ＣＥＬＬ＿ＰＣＨ、ＵＲＡ＿ＰＣＨ、ＩＤＬＥのようなＵＥのＲＲＣ（無線リソース制御）状態に関係なく共通の伝送タイミングでＭＩＣＨが周期的に伝送される。従って複数の無線チャネルを同時に受信する必要があり、バッテリーセービング等の観点からは、好ましいとは言えない。また、各ＲＲＣ状態で受信する無線チャネルの種別が異なり、信号処理が複雑になるおそれもある。ＣＥＬＬ＿ＤＣＨ状態の移動局に関しては、一定期間占有されている無線チャネルを用いていつでもＮＩ等が通知可能である。
【０００７】
第三世代標準化機構で議論されている３Ｇ以降の移動通信システムでは、回線交換型からパケット交換型にデータ伝送方式が変わり、様々な論理チャネルは１つの無線チャネル（適切にスケジューリングされた共有チャネル（Ｓｈａｒｅｄ  Ｃｈａｎｎｅｌ））上で伝送されることが検討されている。更にＵＥのＲＲＣ状態が簡易化され、“アクティブ（ＡＣＴＩＶＥ）”状態と“アイドル（ＩＤＬＥ）”状態に大別されつつある。アクティブ状態はＣＥＬＬ＿ＤＣＨに対応させることができる。アクティブ状態のサブ状態として、ドーマント（Ｄｏｒｍａｎｔ）状態を設けることも検討されている。ドーマント状態はＣＥＬＬ＿ＰＣＨに対応させてもよい。ＣＥＬＬ＿ＦＡＣＨ状態は定義されないかもしれない。このようにＵＥの状態数が減らされ簡略化され、無線チャネルの種別が減少すれば、バッテリーセービングや演算処理負担等の観点から懸念されていた問題を緩和できるかもしれない。
【０００８】
ところで、ＭＢＭＳの通知インディケータＮＩは、全ユーザに一斉に告知してサービスへの加入を促す観点からは、ある程度以上の頻度で全ユーザに告知されることが望ましい。アイドル状態やドーマント状態のＵＥはトラフィックデータの通信を行っておらず、基地局からの情報を間欠的に受信している。従ってネットワーク側で意図される周期でＭＢＭＳの通知インディケータＮＩを告知することは困難ではない。しかしながら、アクティブ状態のＵＥが行うトラフィックデータの通信は周期的には行われず、パケットがどのようにスケジューリングされるかはトラフィック量、チャネル状態その他の事項に依存して様々に変化する。この場合に一律に決められた周期で共有データチャネルのリソースを強制的に確保して全ＵＥに通知インディケータＮＩを通知すると、共有データチャネル用のリソースが非効率的に使用されてしまうことになる。また、通知インディケータＮＩで示される内容が頻繁に変化しない状況も考えられ、そのような状況ではリソースの使用効率は更に悪化してしまう。
【０００９】
本発明は、上記問題点の少なくとも１つに対処するためになされたものであり、その課題は、ＭＢＭＳを提供するためのインディケータをアクティブ状態の移動局に効率的に告知するパケットデータ伝送システム、パケットデータ伝送方法及び基地局を提供することである。
【課題を解決するための手段】
【００１０】
一実施例によるデータ伝送システムは、
１つ以上の基地局及び１つ以上の移動局を含み、ユーザが選択的に受信するユーザ共通データを１つ以上の基地局から１つ以上の移動局へ伝送するパケット伝送システムであって、前記基地局は、
新規の又は更新されたユーザ共通データの有無を判断する判断部と、
移動局に信号を伝送する無線伝送部と
を有し、前記新規の又は更新されたユーザ共通データが存在していた場合、前記無線伝送部は、周期的なタイミングにおいて、前記ユーザ共通データの通知インジケータをグループ識別子とともに付随制御チャネルにより１つ以上の移動局に伝送し、
前記新規の又は更新されたユーザ共通データが存在していなかった場合、前記無線伝送部は、周期的なタイミングにおいて、特定の移動局宛のデータの復調に必要な制御信号を該特定の移動局の識別子とともに付随制御チャネルにより１つ以上の移動局に伝送する、パケット伝送システムである。
【発明の効果】
【００１１】
本発明によれば、ＭＢＭＳを提供するためのインディケータをアクティブ状態の移動局に効率的に告知することができる。
【発明を実施するための最良の形態】
【００１２】
本発明の一形態によれば、パケット伝送システムにおける基地局が、ユーザ制御情報及びユーザ識別情報を含むユーザ制御データと、ＭＢＭＳ用の告知情報及びグループ識別情報を含む告知データとを合成することで、共有データチャネルに付随する付随制御チャネルを用意する。チャネルを遷移することなくＭＢＭＳ用の告知データを移動局に効率的に伝送することができる。また、移動局のＲＲＣ状態の各々に応じて、複数の物理チャネルを同時に監視する必要が無くなり、試験工程を削減できる。さらに、ＲＲＣ状態の各々に応じてＭＢＭＳ  通知インディケータ（告知データ）の送信頻度を調整することもでき、バッテリーセービング効果を向上させることもできる。
【００１３】
前記ユーザ制御データ及び前記告知データは時間多重されてもよい。これにより、告知データを付随制御チャネル内に簡易に周期的に包含させることができる。或いは、前記告知データは前記付随制御チャネル内で非周期的に含まれてもよい。これにより、同一内容の告知データが無駄に反復的に伝送されることを回避し、他の付随制御チャネル用にリソースを開放することができる。
【００１４】
前記付随制御チャネルに呼び出し情報データ（ページングインディケータ（PI））が含まれてもよい。また、前記ページングインディケータが前記付随制御チャネル内で周期的に含まれてもよい。更に、前記告知データ，および前記ページングインディケータと前記ユーザ制御データとが一定の間隔で時間多重されてもよい。
【実施例１】
【００１５】
図１は、本発明の一実施例による通信システムを示す。本実施例の想定する通信システムは、複数の無線基地局装置（Ｎｏｄｅ  Ｂ）および複数の移動局装置（ＵＥ）から構成される。Ｎｏｄｅ  Ｂの各々はセルを形成し、複数のセルで無線信号を伝送する為のサービスエリアが形成される。
【００１６】
Ｎｏｄｅ  ＢからＵＥへの下り方向のチャネルとして１つの物理チャネル又は共用チャネル（Ｅ−ＰＤＳＣＨ）が定義され、このチャネル上で、ＭＢＭＳ用の論理チャネル（例えば、ＭＴＣＨ、ＭＣＣＨ、ＭＳＣＨ）を含む様々な論理チャネルが伝送される。共用チャネルに付随して１以上の付随制御チャネル（Ｅ−ＳＣＣＨ：Ｅｖｏｌｖｅｄ−Ｓｈａｒｅｄ  Ｃｏｍｍｏｎ  Ｃｏｎｔｒｏｌ  Ｃｈａｎｎｅｌ）が定義され、Ｅ−ＳＣＣＨ上では、様々な付随制御情報が伝送可能である。
【００１７】
図２は、本実施例で想定されるＳＣＣＨ上でのＭＩＣＨの伝送方法に関する説明図である。図２には、第1、第2のユーザで共通に使用される付随制御チャネルと、共有データチャネルとが示されている。簡明化のため、２本の付随制御チャネルしか描かれていないが、２以外の数の付随制御チャネルが共有データチャネルのユーザ多重数に依存して用意されてもよい。本実施例ではユーザ（移動局）は複数のＥ−ＳＣＣＨを受信することができるので、複数のＥ−ＳＣＣＨの各々がユーザ毎に割り当てられることは必須ではない。Ｅ−ＰＤＳＣＨはデータを伝送するための共用チャネルであり、図示の例では第１及び第２のユーザで共用される。付随制御チャネルＥ−ＳＣＣＨの１つは、ＭＢＭＳに関するインジケータチャネル（ＭＩＣＨ）と、そのユーザの通信に関する制御データとを含む。制御データには例えば共有データチャネルを復調するのに必要な情報（例えば、符号化方式、変調方式、拡散率等）が含まれてもよい。制御データの内容はユーザごとに異なり、ユーザ識別情報（ユーザＩｄ）で区別される。ユーザＩｄとしては例えばＲＮＴＩが利用されてもよいし、ＩＭＳＩ，ＴＭＳＩ，Ｐ−ＴＭＳＩ等のような何らかの移動局を特定できる識別子が利用されてもよい。
【００１８】
ＭＩＣＨは、所定の頻度で付随制御チャネル（Ｅ−ＳＣＣＨ）中に含まれ、その挿入頻度はＭＣＣＨで決定されてもよい。ＭＩＣＨにはＭＢＭＳの通知インディケータが含まれ、図示の例ではＮＩ１，ＮＩ２，ＮＩ３，．．．のような様々な通知インディケータがＭＩＣＨに含まれている。配信されるコンテンツやサービス種別に応じて様々な通知インディケータがＭＩＣＨに含まれてもよい。特定のユーザ用の制御データとは異なり、ＭＩＣＨは原則として不特定のユーザに広く通知されるので、ＭＩＣＨは何らかのグループ識別情報（グループＩｄ）で区別されることが望ましい。但し、特定のユーザに特化したサービス内容がＭＩＣＨで付加的に告知されてもよい。
【００１９】
ＭＩＣＨの伝送タイミングは周期的でもよいし非周期的でもよい。例えばある繰り返し伝送周期が用意されていたとする。この場合に、前回の伝送タイミングで伝送したＭＩＣＨに変更がなければ、次の繰り返し伝送タイミングでの伝送がスキップされてもよい。これにより重複的なＭＩＣＨの情報伝送を回避し、ＭＩＣＨ以外の情報伝送にそのリソースを開放することができる。
【００２０】
図３Ａは本実施例で想定されるＮｏｄｅ  Ｂの機能ブロック図を示す。Ｎｏｄｅ  Ｂは、図３Ａに示されるように、制御部、無線伝送部、付随制御信号伝送部、スケジューリング部、タイミング監視部、およびＭＢＭＳサービス告知認識部から構成される。
【００２１】
制御部は、Ｎｏｄｅ  Ｂが具備する各機能エンティティに対する制御を行い、Ｎｏｄｅ  Ｂ全体の動作を司る。無線伝送部は、ＭＢＭＳサービスに加入済み又は加入予定の各ＵＥに対し、ＭＢＭＳサービスの告知を伝送する為の付随制御チャネルを伝送する機能を有する。付随制御信号伝送部は、スケジューリング部でスケジューリングされたデータに対応する制御信号を伝送する機能を有する。スケジューリングは、指定されたタイミングでＭＢＭＳ通知インディケータ（ＮＩ：Ｎｏｔｉｆｉｃａｔｉｏｎ  Ｉｎｄｉｃａｔｏｒ）を伝送する為にスケジューリングする機能を有する。また、スケジューリング部は、ＭＢＭＳ通知インディケータに変更が無い場合に、他の制御信号のスケジュールを行ってもよい。即ち，共有チャネル上で，ユーザデータを伝送しても良い。タイミング監視部は、ＭＢＭＳサービスの告知で指定された伝送タイミングを監視する機能を有する。ＭＢＭＳサービス告知認識部は、新規の或いは更新されたＭＢＭＳサービスの有無を認識する機能を有する。
【００２２】
図３Ｂは付随制御チャネルを形成するための機能ブロック図の一例を示す。図示されるように制御データ及びユーザＩｄの合成された信号と、通知インディケータＮＩｉ（ｉ＝１，２，…）及びグループＩｄの合成された信号とが合成され、付随制御チャネルが形成される。合成は一例として時間多重によりなされてもよいが、他の多重化や合成がなされてもよい。
【００２３】
図４は図３Ａに示されるＮｏｄｅ  Ｂの動作フローを示す。先ず、ＭＢＭＳサービス通知（Ｓｅｒｖｉｃｅ  Ｎｏｔｉｆｉｃａｔｉｏｎ）が、新規にされた或いは更新されたか否かことが判断される（Ｓ１）。ステップＳ１の判断の結果、ＭＢＭＳサービス通知があった場合には、現在のタイミングがＭＢＭＳサービス通知の伝送タイミングか否かが確認され（Ｓ２）、伝送タイミングまで待機する。即ち、ステップＳ２の判断の結果、ＭＢＭＳサービス通知の伝送タイミングで無かった場合には、該当伝送タイミングまで通知内容が保持される。ステップＳ２の判断の結果、ＭＢＭＳサービス通知の伝送タイミングであった又は伝送タイミングに至った場合には、ＭＢＭＳ通知インディケータがＳＣＣＨ上で伝送される（Ｓ３）。上述したように通知インディケータＮＩは、ユーザＩｄではなくグループＩｄでコーディングされている。
【００２４】
一方、ステップ１の判断の結果、新規に作成或いは更新されたＭＢＭＳサービス通知が無かった場合には、ＳＣＣＨ上で伝送されてもよい他の付随制御信号があるか否かが確認される（Ｓ４）。ステップＳ４の判断の結果、伝送すべき付随制御信号があった場合には、該当する付随制御信号が伝送可能なタイミングであるか否かが判断される（Ｓ５）。ステップＳ５の判断の結果、伝送可能なタイミングであった場合には、該当する付随制御信号が伝送され（Ｓ６）、フローは終了する。ステップＳ４の判断の結果、伝送すべき他の付随制御信号も無い場合にも、フローは終了する。
【実施例２】
【００２５】
図５Ａは本発明の一実施例によるＮｏｄｅ  Ｂの機能ブロック図である。図示のＮｏｄｅ  Ｂは、図３Ａに示されるものと同様に、制御部、無線伝送部、付随制御信号伝送部、スケジューリング部、タイミング監視部、およびＭＢＭＳサービス告知認識部から構成されるが、異なる機能を有する。
【００２６】
制御部は、Ｎｏｄｅ  Ｂが具備する各機能エンティティに対して制御を行い、Ｎｏｄｅ  Ｂ全体の動作を司る。無線伝送部は、ＭＢＭＳサービスに加入している各ＵＥに対し、ＭＢＭＳサービスの告知を伝送する為の付随制御チャネルを伝送する機能を有する。付随制御信号伝送部は、ページングインディケータチャネル（ＰＩＣＨ：Ｐａｇｉｎｇ  Ｉｎｄｉｃａｔｏｒ  Ｃｈａｎｎｅｌ）のタイミングで、MBMS通知インディケータを伝送する場合に、ページングインディケータとMBMSインディケータを合成し、共通のグループIdを付与する機能を有する。スケジューリング部は、ページングインディケータチャネルをスケジュールする伝送タイミングでＭＢＭＳ通知インディケータもスケジュールする機能を有する。また、スケジューリング部は、ＰＩＣＨ、ＭＩＣＨの伝送タイミングで、かつ今回通知しようとするＭＢＭＳ通知インディケータが前回に比べて何の変更も無い場合に、そのＭＢＭＳ通知インディケータの送信を中止し、ＰＩＣＨのみのスケジュールを行なう機能を有する。タイミング監視部は、第１の実施形態で想定する機能と異なり、呼出情報を伝送するタイミングを監視する機能を有する。タイミング監視部は、ＰＩＣＨを伝送するタイミングを監視するが、その監視の頻度はＰＩＣＨ毎でなくてもよく、数タイミングスキップしながら監視しても良い。但し、スキップタイミングは、予め指定される。勿論、監視の頻度は、ＰＩＣＨ毎に監視を行っても良い。ＭＢＭＳサービス告知認識部は、新規の或いは更新されたＭＢＭＳ  サービス通知の有無を認識する機能を有する。
【００２７】
図５Ｂは付随制御チャネルを形成するための機能ブロック図の一例を示す。図示されるようにＭＩＣＨ及びＰＩＣＨの合成された信号と、グループＩｄの合成された信号とが合成され、付随制御チャネルが形成される。合成は一例として時間多重によりなされてもよいが、他の多重化や合成がなされてもよい。
【００２８】
図６Ａは本発明の一実施例によるＮｏｄｅ  Ｂの動作フローを示す。先ずＭＢＭＳサービス通知が新規にあるか或いは更新されたか否かが確認される（ステップ１）。ステップＳ１の判断の結果、ＭＢＭＳサービス通知があった場合には、ＰＩＣＨの伝送タイミングか否かが確認される（Ｓ２）。ステップＳ２の判断の結果、ＰＩＣＨの伝送タイミングで無かった場合には、伝送タイミングに至るまで通知内容が保持される。ステップＳ２の判断の結果、ＰＩＣＨの伝送タイミングであった場合には、予め指定された所定のタイミングか否かが判断される（Ｓ３）。ステップＳ３の判断の結果、所定のタイミングであった場合には、ＭＢＭＳ通知インディケータ、およびＰＩＣＨが合成され、共通のグループＩｄが付与され、ＳＣＣＨ上で伝送され（Ｓ４）、フローは終了する。即ち、ＰＩＣＨの周期とインディケータ用の所定の周期の最小公倍数のタイミングで、ＰＩＣＨの代わりにＭＢＭＳ通知インディケータが伝送される。ＭＢＭＳ通知インディケータのみを伝送する場合には第１実施例の場合と同様にグループＩｄでコーディングされる。
【００２９】
ステップＳ１の判断の結果、新規の或いは更新されたＭＢＭＳサービス通知が無かった場合には、ＰＩＣＨのみが伝送され（Ｓ７）、フローは終了する。
【００３０】
図６Ｂに示されるように、本実施例によればＭＩＣＨは周期的に伝送されてもよいし（上図）、必要に応じて非周期的に伝送されてもよい（下図）。
【実施例３】
【００３１】
本発明の一実施形態によるＮｏｄｅ  Ｂの機能ブロックは，実施例１または２によるＮｏｄｅ  Ｂのブロック図と同一である。
【００３２】
図７は本発明の一実施例による移動局装置ＵＥの機能ブロック図を示す。ＵＥは、図７に示されるように、制御部、無線伝送部、Ｉｄ解析部、付随制御信号受信部、およびＲＲＣ状態認識部から構成される。
【００３３】
制御部は、ＵＥの各機能エンティティに対して制御を行い、ＵＥ全体の動作を司る。無線伝送部は、ＭＢＭＳサービスに加入済みの又は加入予定のＵＥが、ＭＢＭＳサービスを告知する付随制御チャネルを受信する機能、及びＭＢＭＳサービスを受信する機能を有する。Ｉｄ解析部は、付随制御チャネル上で伝送される付随制御信号を識別する為にＮｏｄｅ  Ｂにより付与される識別子を識別する機能を有する。この機能は自他のユーザを区別するユーザＩｄを識別する機能に加えて、ＭＢＭＳ通知インディケータを識別するグループＩｄを識別する機能をも含む。付随制御信号受信部で受信されＩｄ解析部で解析されたＩｄに応じて、付随制御チャネル上で伝送された制御信号が適切に復調される。ＲＲＣ状態認識部は、ＲＲＣ状態（ＣＥＬＬ＿ＰＣＨ、ＩＤＬＥ、ＵＲＡ＿ＰＣＨ等）に応じてＭＢＭＳサービス通知の繰り返し受信タイミングを設定する機能や、そのタイミングで受信機をＯＮにする機能等を有する。各ＲＲＣ状態における受信タイミングは，報知情報で報知されても良い。一例として報知情報を用いて通知する事を説明したが，それ以外の通知方法でＵＥへ受信タイミングを通知しても良い。ＲＲＣ状態に関しては、本実施例では、ＣＥＬＬ＿ＰＣＨ、ＩＤＬＥ、ＵＲＡ＿ＰＣＨを例としてあげているが、これに限定されるものではない。
【００３４】
本発明の一実施形態によるＮｏｄｅ  Ｂの動作フローは，実施例１または２によるＮｏｄｅ  Ｂの動作フローと同一である。
【００３５】
図８は本発明の一実施例によるＵＥの動作フローを示す。ＵＥは、先ず自局のＲＲＣ状態を確認する（Ｓ１）。次にＵＥはＭＢＭＳサービス通知の受信タイミングであるか否かを確認する（Ｓ２）。ステップＳ２の判断の結果、受信タイミングに該当する場合には、ＳＣＣＨの受信を開始する（Ｓ３）。ステップＳ４では、受信した付随制御信号に含まれているパケットの識別子が、ＭＢＭＳ  グループＩｄであるか否かが判断される。ステップＳ４の判断の結果、識別子がＭＢＭＳグループＩｄであった場合には、ＳＣＣＨ上で伝送されているＭＩＣＨを受信する（Ｓ５）。ステップＳ４の判断の結果、識別子がＭＢＭＳグループＩｄでなかった場合には、自局のＲＲＣ状態はＣＥＬＬ＿ＤＣＨであるか否かが確認される（Ｓ６）。ステップＳ６の判断の結果、ＣＥＬＬ＿ＤＣＨ状態であった場合には、受信したパケットの識別子が、自局の固有の識別子（例えばＲＮＴＩ等）であるかが判断される（Ｓ７）。ステップＳ７の判断の結果、自局のＵＥの固有識別子の場合には、ＳＣＣＨを受信及び復調し（Ｓ８）、フローは終了する。ステップＳ２の判断の結果、ＭＢＭＳサービス通知の受信タイミング以外のタイミングであった場合には、該当するタイミングまで受信機をＯＦＦにする。ステップ  ６，７の判断の結果、Ｎｏの場合には、フローは終了する。
【００３６】
本実施例では基地局ＮｏｄｅＢはアイドル状態、ＰＣＨ状態又はＤＣＨ状態の何れかの状態の伝送タイミングでＭＢＭＳ通知インディケータを伝送し、移動局ＵＥはＤＣＨ状態又はそれ以外の何れの状態であってもＭＢＭＳ通知インディケータを適切に受信することができる。
【図面の簡単な説明】
【００３７】
【図１】本発明の一実施例による通信システムを示す図である。
【図２】本発明の一実施例により伝送されるＭＢＭＳ−ＮＩを含む付随制御信号及び共有チャネルを示す図である。
【図３Ａ】本発明の一実施例による基地局の機能ブロック図を示す。
【図３Ｂ】付随制御信号を作成する機能ブロック図を示す。
【図４】本発明の一実施例による基地局の動作例を示すフローチャートである。
【図５Ａ】本発明の一実施例による基地局の機能ブロック図を示す。
【図５Ｂ】付随制御信号を作成する機能ブロック図を示す。
【図６Ａ】本発明の一実施例による基地局の動作例を示すフローチャートである。
【図６Ｂ】ＰＩＣＨ及びＭＩＣＨが伝送される様子を示す図である。
【図７】本発明の一実施例による移動局の機能ブロック図を示す。
【図８】本発明の一実施例によるＵＥの動作例を示すフローチャートである。
【符号の説明】
【００３８】
ＵＥ  移動局装置
ＮｏｄｅＢ  基地局装置
ＳＣＣＰＣＨ  ２次共通制御物理チャネル
ＰＩＣＨ  ページングインディケータチャネル
ＤＣＣＨ  個別制御チャネル
ＤＰＣＨ  個別物理チャネル
ＲＮＴＩ  無線ネットワーク暫定Ｉｄ
【図１】
0004772432.tif 000002
【図２】
0004772432.tif 000003
【図３Ａ】
0004772432.tif 000004
【図３Ｂ】
0004772432.tif 000005
【図４】
0004772432.tif 000006
【図５Ａ】
0004772432.tif 000007
【図５Ｂ】
0004772432.tif 000008
【図６Ａ】
0004772432.tif 000009
【図６Ｂ】
0004772432.tif 000010
【図７】
0004772432.tif 000011
【図８】
0004772432.tif 000012